(57)【要約】【課題】底板側を棟部近くの屋根面に施工される波打ち状の屋根瓦にあてがって設置することによっても、屋根瓦の波打ち面と換気装置の底板側との間に生ずる隙間を簡単な構造で覆うことから、雨水が屋内側にまで浸入するのを確実に防げるよう設置する。【解決手段】長方形の囲い枠３０と、通気孔３１ａ，３１ｂを有する天板３２と、据付け板３２ａ，３２ｂとからなる捨水切り３を備え、捨水切り３を棟部の換気口Ｆより立上げ設置すると共に、屋根瓦Ｒ１の起伏高さと略相応する立上りを有する立ち壁板４０と、立ち壁板４０の両端より捨水切り３の長手方向両端側に折れ曲がる支え板４１と、据付け板４２とからなる入水止め４を備え、立ち壁板４０を屋根瓦Ｒ１の上端面と当接可能に立て付け、入水止め４を捨水切り３の囲み兼屋根瓦Ｒ１との隙間覆いとして両側の屋根面に設置する。【選択図】  図１
2005307615.tif 000002
【特許請求の範囲】
【請求項１】
波打ち状の屋根瓦を敷く勾配屋根の棟部より両側の屋根面に亘る略傘形の天板と、所定の通気間隔を保って天板の板面と相対する両側の底板と、天板，底板の各板面より互い違い交互に通気間隔の内部に起立する複数の邪魔板とから形成し、屋外側の通気口を天板と底板との下端側に開口し、屋内側の通気口を底板の上端側に開口した換気装置を備え、屋内側の通気口を棟部の換気口に合せて棟部の換気口を天板の板面で覆い、勾配屋根の棟部より天板の板面に向けて立ち上る止め金具で取付け固定し、屋外側の通気口より屋内外の空気を出し入れする換気装置として底板側を棟部近くに施工される屋根瓦にあてがって設置する家屋棟部用換気装置の取付構造において、
棟部の換気口に相当する長さ，幅を有する長方形の囲い枠と、通気孔を有する天板と、囲い枠の長手方向下端より外方に折れ曲がる据付け板とからなる捨水切りを備え、両側の据付け板を屋根の各野地面に取り付けて捨水切りを棟部の換気口より立上げ設置すると共に、
屋根瓦の起伏高さと略相応する立上りを有する立ち壁板と、立ち壁板の両端より捨水切りの長手方向両端側に折れ曲がる支え板と、立ち壁板の長手方向下端より外方に折れ曲がる据付け板とからなる入水止めを備え、立ち壁板を屋根瓦の上端面と当接可能に立て付け、支え板相互を捨水切りの長手方向両端側で相対合わせし、捨水切りの据付け板と重なる据付け板を屋根の野地面に取り付けて入水止めを捨水切りの囲み兼屋根瓦との隙間覆いとして両側の屋根面に設置したことを特徴とする家屋棟部用換気装置の取付構造。
【発明の詳細な説明】
【技術分野】
【０００１】
本発明は、屋内外の空気を出し入れする換気装置として底板側を棟部近くに施工される屋根瓦にあてがって設置する家屋棟部用換気装置の取付構造に関するものである。
【背景技術】
【０００２】
従来、家屋棟部用換気装置としては、勾配屋根の棟部より両側の屋根面に亘る略傘形の天板と、所定の通気間隔を保って天板の板面と相対する両側の底板と、天板，底板の各板面より互い違い交互に通気間隔の内部に起立する複数の邪魔板とから形成し、屋外側の通気口を天板と底板の下端側に開口し、屋内側の通気口を底板の上端側に開口するよう構成したものが知られている（特許文献１）。
【０００３】
その家屋棟部用換気装置は、屋内側の通気口を棟部の換気口に合せて棟部の換気口を天板の板面で覆い、屋外側の通気口より屋内外の空気を出し入れするよう底板側で屋根の野地側に設置することから、平板状の屋根瓦を敷く屋根専用として構成されている。
【０００４】
その家屋棟部用換気装置によっても、勾配屋根の棟部より天板の板面に向けて立ち上る止め金具で取付け固定すれば、底板側を棟部近くに施工される波打ち状の屋根瓦にあてがって設置するようにできる。
【０００５】
その底板側を波打ち状の屋根瓦にあてがって設置する場合、屋根瓦の波打ち面と換気装置の底板側との間に隙間が生ずる。このため、漆喰等のコーキング材を隙間に詰め込むか、或いは屋根瓦の波上面と相応する形状の面戸板を組み付けて隙間を閉鎖する必要がある。然し、いずれの施工によっても極めて手間が掛かる。
【特許文献１】実開平１−８３８４８号
【発明の開示】
【発明が解決しようとする課題】
【０００６】
本発明は、底板側を棟部近くに施工される波打ち状の屋根瓦にあてがって設置することによっても、屋根瓦の波打ち面と換気装置の底板側との間に生ずる隙間を簡単な構造で覆うことから、雨水が屋内側にまで浸入するのを確実に防げる家屋棟部用換気装置の取付構造を提供することを目的とする。
【課題を解決するための手段】
【０００７】
本発明は、屋内側の通気口を棟部の換気口に合せて棟部の換気口を天板の板面で覆い、勾配屋根の棟部より天板の板面に向けて立ち上る止め金具で取付け固定し、屋外側の通気口より屋内外の空気を出し入れする換気装置として底板側を棟部近くに施工される波打ち状の屋根瓦にあてがって設置する家屋棟部用換気装置の取付構造において、
棟部の換気口に相当する長さ，幅を有する長方形の囲い枠と、通気孔を有する天板と、囲い枠の長手方向下端より外方に折れ曲がる据付け板とからなる捨水切りを備え、両側の据付け板を屋根の各野地面に取り付けて捨水切りを棟部の換気口より立上げ設置すると共に、
屋根瓦の起伏高さと略相応する立上りを有する立ち壁板と、立ち壁板の両端より捨水切りの長手方向両端側に折れ曲がる支え板と、立ち壁板の長手方向下端より外方に折れ曲がる据付け板とからなる入水止めを備え、立ち壁板を屋根瓦の上端面と当接可能に立て付け、支え板相互を捨水切りの長手方向両端側で相対合わせし、捨水切りの据付け板と重なる据付け板を屋根の野地面に取り付けて入水止めを捨水切りの囲み兼屋根瓦との隙間覆いとして両側の屋根面に設置したことを特徴とする。
【発明の効果】
【０００８】
本発明に係る家屋棟部用換気装置の取付構造によると、屋根瓦の波打ち面と換気装置の底板側との間の隙間を捨水切り囲み兼用として屋根の両野地面より設置する入水止めの立ち壁板で覆うため、屋根瓦の波打ち面と換気装置の底板側との間の隙間より入り込む雨水を遮るようにできる。雨水が風により入水止めの立ち壁板から装置側に入り込むことがあっても、内側には両側の入水止めで囲む捨水切りが設けられていることから、雨水が屋内側にまで浸入するのを確実に防げる。
【０００９】
その構成中、捨水切りは両側の据付け板を屋根の各野地面に取り付けて棟部の換気口より立上げ設置すればよく、また、入水止めは捨水切りの据付け板と重なる据付け板を屋根の野地面に取り付けて捨水切りの囲み兼屋根瓦との隙間覆いとして両側の屋根面より設置すればよいため、いずれの取付作業にも手間が掛からない。
【発明を実施するための最良の形態】
【００１０】
図示実施の形態は、波打ち状の屋根瓦Ｒ１を野地板Ｂに敷き込み、丸形の冠瓦Ｒ２を棟部に設置する勾配屋根において、棟部の換気口Ｆより屋内外の空気を出し入れする家屋の棟部用換気装置１として冠瓦Ｒ２の内部に収容配置するよう構成されている。
【００１１】
その換気装置１は、勾配屋根の棟部より天板の板面に向けて立ち上る止め金具２で取付け固定し、底板側を棟部近くの屋根面に施工される波打ち状の屋根瓦Ｒ１にあてがって設置されている。図中、左側が省略されているが、左側は右側と対称の同じ構造を有する。
【００１２】
換気装置１は、止め金具２と共に、捨水切り３，入水止め４を揃えて取り付けられている。これらの構成部材１〜４は、金属板材から折曲げ形成されている。また、止め金具２を除いては野地板Ｂを一部切り取って棟部の長手方向に設けられる換気口Ｆの全長に亘るよう形成されている。
【００１３】
換気装置１は、図２でも示すように天板１０と、両側の底板１１と、邪魔板１２，１３とから組み立てられている。この換気装置１は、天板１０を屋根面の勾配角と略相応するよう傘形に折り曲げることから、底板１１の板面を棟部近くに施工される屋根瓦Ｒ１の波起部にあてがって設置するよう組み立てられている。
【００１４】
天板１０は、勾配屋根の棟部から両側の屋根面に亘るよう一枚の金属薄板から傘形に折り曲げられている。天板１０の頂部１０ａは、後述する止め金具２の上部側に嵌まり合うコの字状を呈するよう折曲げ形成されている。底板１１としては、所定の通気間隔１４を隔て天板１０の両板面１０ｂ，１０ｃと相対すると共に、屋内側の通気口を形成するよう所定の間隔を上端側に隔てて二枚別に組み付けられている。
【００１５】
邪魔板１２，１３としては、横断面コの字状に折り曲げた桟状部材が取り付けられている。その邪魔板１２，１３は、中間辺１２ａ，１３ａを天板１０，底板１１の各板面にリベット止めすることから、立上り辺１２ｂ，１２ｃ、１３ｂ，１３ｃが天板１０，底板１１より通気間隔１４の空間に向けて互い違い交互に起立するよう組み付けられている。
【００１６】
天板１０と底板１１とからは、屋外側の通気口１５が下端寄りに形成されている。その屋外側の通気口１５は、底板１１の下端寄り板面を折り曲げて直立状の起立壁板１１ａと、起立壁板１１ａの上端側から下り勾配に傾斜する前面板１１ｂとを設けると共に、天板１０の下端寄り板面を折り曲げて下り勾配の斜面板１０ｄから底板１１の板面と相平行で起立壁板１１ａと所定の間隔を保つ庇板１０ｅを設けることから通気間隔１４よりも狭く形成されている。
【００１７】
底板１１の上端寄りには、屋内側の通気口１６が形成されている。その屋内側の通気口１６は、底板１１の上端寄り板面を邪魔板１３の立上り辺１３ｂ，１３ｃと同じ高さの立上り板１１ｃとして折り曲げることから、邪魔板１２の立上り辺１２ｃと間隔を隔てて最内側の邪魔板を形成するよう設けられている。
【００１８】
通気間隔１４並びに通気口１５，１６は、支柱ピン１７（図１参照）を天板１０と底板１１との上部側にリベット止めし、また、スペーサ１８を下部側に立付け固定することから間隔保持されている。その支柱ピン１７，スペーサ１８は、天板１０並びに底板１１の長手方向に並べて複数個取り付けられている。
【００１９】
スペーサ１８は、コの字状に折り曲げた立付け板１８ａと、立付け板１８ａの自由端側を外向きに折り曲げたストッパ片１８ｂ，１８ｃと、立付け板１８ａと重なるよう折り曲げたあてがい板１８ｃとから形成されている。
【００２０】
そのスペーサ板１８は、底板１１の起立壁板１１ａに設けた開口１１ｄより立付け板１８ａを天板１０の庇板１０ｅと底板１１の板面の間に嵌め込み、ストッパ片１８ｂ，１８ｃを開口１１ｄの口縁に掛け止めると共に、あてがい板１８ｃを天板１０の庇板１０ｅとリベット止めすることから組み付けられている。
【００２１】
止め金具２は、図３で示すように比較的肉厚な金属製の平帯板材から折曲げ形成されている。その止め金具２は、両側の足部片２０ａ，２０ｂと、足部片２０ａ，２０ｂより立ち上がって相対する脚部板２１ａ，２１ｂと、脚部板２１ａ，２１ｂの各上端間に亘る橋絡板２２とから形成されている。橋絡板２２は、各脚部板２１ａ，２１ｂの上端側よりコの状に落ち込ませて形成されている。
【００２２】
捨水切り３は、図４で示すように止め金具２の相対する脚部板２１ａ，２１ｂの間隔に相当する幅と、換気口Ｆ（図１参照）の長手方向に相当する長さと、止め金具２の橋絡板２２より低い高さを有する長方形の囲い枠３０を本体として形成されている。また、長穴状の通気孔３１ａ，３１ｂを長手方向に複数設けた天板部３２と、囲い枠３０の長手方向下端から斜め外方に張り出す両側の据付け板３３ａ，３３ｂとを備えて形成されている。
【００２３】
入水止め４は、図５で示すように屋根瓦の起伏高さと略相応する立上りを有する立ち壁板４０と、立ち壁板４０の両端より捨水切り３の長手方向両端側に折れ曲がる支え板４１（片側図示省略）と、立ち壁板４０の長手方向下端より略直角で外方に折れ曲がる据付け板４２とを備えて形成されている。この入水止め４としては、両側の屋根面に設置するよう同じ構造のものが二つ揃えられている。
【００２４】
立ち壁板４０は、風の煽りに対抗可能な剛性を付与するべく、上部側が取付状態で捨水切り３の長手方向と略平行に対向するよう立上り幅の略中腹辺より支え板４１の折曲げ方向と同じ方向で長手方向に沿ってくの字状に折り曲げられている。
【００２５】
また、支え板４１との折曲げ角は上端側より長手方向の折曲げ部まで切込みを入れ、くの字の折曲げに相応する曲げ代分だけ支え板４１の板面を立ち壁板４０と相対方向に折り曲げ、立ち壁板４０の上端辺を内曲げさせて支え板４１の折曲げ部分を抱込み挟持するよう構成されている。
【００２６】
上述した構成部材を備えては、まず、図６で示すように囲い枠３０を棟部の換気口Ｆに位置合わせし、据付け板３３ａ，３３ｂを野地板Ｂの板面にあてがうことから捨水切り３を勾配屋根の棟部に設置する。この捨水切り３は、囲い枠３０が棟部の換気口Ｆより垂直方向に立ち上がるよう据付け板３３ａ，３３ｂで設置される。
【００２７】
次に、捨水切り３を脚部板２１ａ，２１ｂの内側に受け入れ、足部片２０ａ，２０ｂを据付け板３３ａ，３３ｂの上に載せて野地板Ｂの板面に釘着固定することから、止め金具２を捨水切り３と共に勾配屋根の棟部に取り付ける。この止め金具２は、所定の間隔を捨水切り３の長手方向に隔てて三つ程度取り付ければよい。
【００２８】
止め金具２には、図７で示すように枕木５をコの状の橋絡板部２２に嵌め込んで側面から釘着固定することから、捨水切り３の上部側で換気口Ｆの長手方向に掛け渡すよう取り付ける。この際に、止め金具２の橋絡板部２２がコの状に形成されているため、枕木３をコ内に嵌め込んで簡単に取付け固定できる。
【００２９】
その枕木５の取付け後乃至は前には、図８で示すように入水止め４，４’を両側の屋根面に設置する。この入水止め４，４’は、立ち壁板４０を屋根瓦の上端面と当接可能に立て付け、支え板４１，４１’の相互を捨水切り３の長手方向両端側で相対合わせし、捨水切り３の据付け板３３ａ，３３ｂと重なる据付け板４２，４２’を屋根の野地面Ｂに取り付けることから、捨水切り３の囲み兼屋根瓦との隙間覆いとして設置される。
【００３０】
支え板４１，４１’の相互は、捨水切り３の長手方向両端側で相対合わさって屋根の野地面Ｂに据付け設置することから、立ち壁板４０，４０’が風で煽られても押され変位しないよう立ち壁板４０を支持している。なお、防水シール６（図１参照）を据付け板３３ａと据付け板４２との合せ端辺に沿って施すとよい。これにより、雨水が風により入水止め４，４’の立ち壁板４０，４０’から装置側に入り込こんでも屋根の野地側に浸入するのを防げる。
【００３１】
次には、図９で示すように波打ち状の屋根瓦Ｒ１を勾配屋根の両側に敷込み施工する。この屋根瓦Ｒ１のうち、棟部近くの屋根面に施工するものは上端面を立ち壁板４０の下半板面と当接させて敷込み施工する。その後に、換気装置１を枕木５の上側から被せて勾配屋根の両側に掛渡し配置する。この換気装置１は、コの字状に折り曲げられた頂部１０ａを枕木５の上側から嵌め合わすことから簡単に位置決めさせて釘着固定できる。
【００３２】
その換気装置１の取付状態では、底板１１を止め金具２の立上り高さにより棟部近くの屋根瓦Ｒ１にあてがうことから、換気装置１の全体が設置されている。また、入水止め４の立ち壁板４０が底板１１の上端近くにまで至るよう立て付けられている。
【００３３】
最後に、図１０で示すように冠瓦Ｒ２を棟部の長手方向に複数組み付けることから、装置全体を冠瓦Ｒ２の内側に収容配置すればよい。この冠瓦Ｒ２は天板１０の庇板１０ｅにまで被り、外側の通気口１５が冠瓦Ｒ２から外部に露出するよう寸法設定されている。なお、換気装置１の両側に亘る棟部にはのし瓦が直線状に並べて組み付けられる。
【００３４】
その家屋棟部用換気装置では、屋外空気を屋外側の通気口１５から取り込んで通気間隔１４を経て屋内側の通気口１６より棟部の換気口に流動し、逆の経路を経て屋内空気を屋外側の通気口１５より放出することから屋内外の空気を換気できる。
【００３５】
その屋外空気の取込みにより、雨水を伴う風が上方から屋外側の通気口１５に向かっても、屋外側の通気口１５が通気間隔１４よりも狭くなるよう形成されているため、この雨水を伴う風の侵入を少なく抑えられる。勾配屋根の下方から上方に向かう風については、起立壁板１１ａの上端側に向けて上り勾配を呈する前部板１１ｂにより上方に舞い上がらせられるから屋外側の通気口１５に流れ込むのを防げる。
【００３６】
その雨水を伴う風が屋外側の通気口１５より通気間隔１４に入り込んでも、邪魔板１２ｂ，１２ｃ、１３ｂ，１３ｃで蛇行しながら流動することから、雨水が水切りされる。また、雨水が邪魔板１２ｂ，１２ｃ、１３ｂ，１３ｃで完全に水切りされていないとしても捨水切り３で遮られるため、棟部の換気口まで至らない。従って、雨水が外気と共に棟部の換気口まで侵入するのを確実に防げる。
【００３７】
屋根瓦Ｒ１の波起面と換気装置１の底板側との間の隙間は、捨水切り囲み兼用として入水止め４，４’の立ち壁板４０，４０’で覆われているため、当該隙間より入り込む雨水を遮るようにできる。雨水が風により入水止め４，４’の立ち壁板４０，４０’から装置側に入り込むことがあっても、内側には捨水切り３が設けられていることから、雨水が屋内側にまで浸入するのを確実に防げる。
【図面の簡単な説明】
【００３８】
【図１】本発明に係る家屋棟部用換気装置の設置構造を示す説明図である。
【図２】図１の家屋棟部用換気装置を示す斜視図である。
【図３】図１の家屋棟部用換気装置を設置する止め金具を示す斜視図である。
【図４】図１の家屋棟部用換気装置に組み付けられる捨水切りを部分省略で示す斜視図である。
【図５】図１の家屋棟部用換気装置に組み付けられる入水止めを部分省略で示す斜視図である。
【図６】図１の家屋棟部用換気装置を設置するに捨水切り，止め金具の取付工程を示す説明図である。
【図７】図６に引き続く枕木の取付工程を示す説明図である。
【図８】図７に引き続く入水止めの取付工程を示す説明図である。
【図９】図８に引き続く家屋棟部用換気装置の取付工程を示す説明図である。
【図１０】図８に引き続く冠瓦の取付工程を示す説明図である。
【符号の説明】
【００３９】
１              換気装置
１０            天板
１１            底板
１２，１３      邪魔板
１４            通気間隔
１５            屋外側の通気口
１６            屋外側の通気口
２              止め金具
３              捨水切り
３０            捨水切りの囲い枠
３１ａ，３１ｂ    捨水切りの通気孔
３２            捨水切りの天板
３３ａ，３３ｂ    捨水切りの据付け板
４，４’        入水止め
４０            入水止めの立ち壁板
４１            入水止めの支え板
４２            入水止めの据付け板
Ｒ１            波打ち状の屋根瓦
Ｆ              棟部の換気口
【図１】
2005307615.tif 000003
【図２】
2005307615.tif 000004
【図３】
2005307615.tif 000005
【図４】
2005307615.tif 000006
【図５】
2005307615.tif 000007
【図６】
2005307615.tif 000008
【図７】
2005307615.tif 000009
【図８】
2005307615.tif 000010
【図９】
2005307615.tif 000011
【図１０】
2005307615.tif 000012